(57)【要約】      （修正有）【課題】外観が平坦均一で非個性的な車両用携帯機の表ケースや裏ケースの表面に個性的な外観意匠を着脱可能に設け、外観意匠を自由に変更できる車両用電子キーシステムの携帯機を提供する。【解決手段】車両に搭載されたドライブ制御装置と無線通信により少なくとも車両のドアロックの施錠・解錠に関する制御を送信する制御基板と電源を内部に収納し、車両のドアロックを機械的に施錠・解錠するためのメカニカルキー１１を内部に着脱可能に保持できる表ケースと裏ケース３からなる筐体２を備えた車両用電子キーシステムの携帯機１において、表ケース及び／又は裏ケース３の表面側に金属フレーム又は金属調樹脂フレームを接着固定し、フレーム７の表面側に好みの外観意匠を有するプレート９を着脱交換可能に設けた。【選択図】図１
0003233970.tif 000002
【実用新案登録請求の範囲】
【請求項１】
車両に搭載されたドライブ制御装置と無線通信により少なくとも該車両のドアロックの施錠・解錠に関する制御を送信する制御基板と電源を内部に収納し、前記車両のドアロックを機械的に施錠・解錠するためのメカニカルキーを内部に着脱可能に保持できる表ケースと裏ケースからなる筐体を備えた車両用電子キーシステムの携帯機において、
前記表ケース及び／又は裏ケースの表面側にフレームを固定し、該フレームの表面側にプレートを着脱交換可能に設けたことを特徴とする車両用電子キーシステムの携帯機。
【請求項２】
前記フレームは、前記表ケース及び／又は裏ケースの表面側に接着剤等により固定するか、表ケース及び／又は裏ケースの表面側に周知固定手段により固定し、
前記プレートは、フレームに設けた凹部又は凸部等からなる係合部と係合する被係合部を備え、該被係合部を前記係合部と係合することにより着脱交換可能に固定することを特徴とする請求項１記載の車両用電子キーシステムの携帯機。
【請求項３】
前記フレームは、金属素材又は金属光沢を有する樹脂素材等からなることを特徴とする請求項1又は２記載の車両用電子キーシステムの携帯機。
【請求項４】
前記プレートは、七宝焼・漆・竹・本歪・金属・螺鈿・革等の材質から形成され、前記フレームの表面側に着脱交換容易に取り付け可能な構造であることを特徴とする請求項1，２又は３記載の車両用電子キーシステムの携帯機。
【請求項５】
前記筐体とフレームとプレートの少なくとも一つの表面側に、会社ロゴマークや装飾模様等が表示されていることを特徴とする請求項1，２，３又は４記載の車両用電子キーシステムの携帯機。
【請求項６】
前記プレートの一箇所又は複数個所に切欠きや開口部を形成し、該切欠きや開口部を介して前記筐体に内装され外部に突出している押し釦スイッチを操作可能にすると共に、フレームに設けた前記会社ロゴマークや装飾模様等を視覚可能にしたことを特徴とする請求項1，２，３，４又は５記載の車両用電子キーシステムの携帯機。
【考案の詳細な説明】
【技術分野】
【０００１】
本考案は、乗用車やトラック、バス等の車両に搭載されたドライブ制御装置との間で無線通信を行い、各車両固有のＩＤを照合して車両のドアロックの施錠や解錠又はエンジンの始動等を行うために、車両使用者が携帯して用いる車両用電子キーシステムの携帯機に関する。
【背景技術】
【０００２】
車両使用者が携帯している携帯機と、車両に搭載されたドライブ制御装置との間で、無線通信を行い車両固有のＩＤとを照合し使用者からの駆動要求である場合にエンジンの始動等を行う携帯機に関しては、例えば、特許文献１や特許文献２が提案されている。
【０００３】
特許文献１に示す携帯機は、ケース本体と、ケース本体の内部に収容される回路基板やトランスポンダ等の被収容物とにより構成されている。ケース本体は、略直方体状をなし、第１ケースと第２ケースとが、上下方向から組み付けられることにより構成されている。第１ケース及び第２ケースは、ほぼ同形同大に形成され、それぞれ一方が開口する箱状をなしてケース本体の内部に空間が設けられた状態となっている。
【０００４】
特許文献２に示す携帯機は、上側ケーと下側ケース、内部に収容された回路基板、アンテナ、電池等の部材が組み合わされることで構成され、全体は隅角部が丸められた扁平形状の略直方体を呈している。すなわち携帯機は、平面視における形状が、長辺と短辺を有する長方形の角部が丸められた形状となるように構成されている。
【０００５】
従来型を示す図７の正面図（ａ）及び側面図（ｂ）では、代表的な携帯機１の本体部は、いずれも上側ケース１８、下側ケース１９等からなる箱型長方体の形状をなし、その内部には通信用の制御基盤や電池等が封入されている。
また電池切れの際等にドアの施錠・解錠を行うことが可能なメカニカルキー２７が携帯機１に内装できるように構成されている。下側ケース１９側には必要に応じて使用者が押すスイッチ類である施錠釦スイッチ２５、解錠釦スイッチ２６がケース表面から外部へ突出し、また提供車両メーカの会社ロゴマーク２２等がケース表面に印刷されている。それに対し上側のケース１８側には、スイッチ類が設けられていなく平坦な板状面で構成されている。車両使用者がポケットやバッグ内での携帯機１の保有が嵩張らなく持運びが容易になるように、大きな突起等がなくコンパクトな箱型の構造を形成している。
【先行技術文献】
【特許文献】
【０００６】
【特許文献１】特開２００５−２６４４６２号公報
【特許文献２】特開２０１７−２１８７９１号公報
【考案の概要】
【考案が解決しようとする課題】
【０００７】
本考案は、使用者が携帯機をポケットやバック等に携帯保持することを前提とする。そして、各車両メーカから提供される携帯機の外観は、一般的に車種が同じ車両ならば外観の意匠は同一である携帯機が提供される。その外観意匠は、黒色や灰色等を基調とする落ち着いたデザインが多く、同一の機種を保有する車両使用者がたまたま合流した場合には、時には誤って異なる使用者の携帯機を選択しそうになることがある。さらに、運輸会社の様に、同一の多くの車両を保有する場合には、各車両の携帯機を区別するために携帯機にマーキングや名札を添付する工夫が必要であった。それらは、外観意匠的には不細工で無機質な携帯機となる可能性が有った。それに対して車両の携帯機としての意匠性を高め、かつ個性的な外観を有する携帯機として、車両使用者等に一目で見分けが可能な携帯機の外観意匠が求められていた。
【０００８】
本考案は、上記のような問題点を考慮してなされたものであって、一般的に外観が平坦均一で非個性的な車両の携帯機の表ケースや裏ケースの表面側に、金属光沢を有するフレームを固定し、さらにそのフレームの表面側に個性的な外観意匠を有するプレートを着脱可能に設けた携帯機を提供することを目的とする。すなわち表ケースや裏ケースに固定するフレームと、このフレームの表面上に容易に取り換え交換できるプレートを設けた携帯機を提供することを目的としている。例えば多くの車両を保有している会社の組織変更や車両使用者の変更などで、携帯機の外観意匠を変更したい場合に、本考案は役立つ。
【課題を解決するための手段】
【０００９】
上記の課題を解決するために、本考案のうち請求項１は、車両に搭載されたドライブ制御装置と無線通信により少なくとも該車両のドアロックの施錠・解錠に関する制御を送信する制御基板と電源を内部に収納し、前記車両のドアロックを機械的に施錠・解錠するためのメカニカルキーを内部に着脱可能に保持できる表ケースと裏ケースからなる筐体を備えた車両用電子キーシステムの携帯機（以下、携帯機と省力する。）において、筐体を構成する表ケース及び／又は裏ケースの表面側にフレームを固定し、該フレームの表面側にプレートを着脱交換可能に設けている。
【００１０】
請求項２の考案は、請求項１の携帯機において、前記フレームは、前記筐体を構成する表ケース及び／又は裏ケースの表面側に接着剤等により固定するか、又は両ケースの一方側に周知固定手段により固定され、一体化しているが、前記プレートは、フレームに設けた凹部又は凸部等からなる係合部と係合する被係合部を備え、該被係合部を前記係合部との係合により着脱交換可能に固定するので、プレートを好みに応じて、或いは季節に応じて自由に交換し得る。
【００１１】
請求項３の考案は、携帯機の筐体に固定するフレームを、金属素材又は金属光沢を有する合成樹脂素材から形成しているので、筐体から離反又は離脱しないように一体化する如く構成し得る。
【００１２】
請求項４の考案は、前記プレートを七宝焼・漆・竹・本歪・金属・螺鈿・革等の材質から形成し、前記フレームの表面側に両面接着テープで着接したり、或いはフレームとプレートの一方側に設けた係合部と、他方側に設けた被係合部とを係合し、着脱交換容易に固定し得る。即ち、フレームの表面側にプレートを着脱交換容易に固定し得る。
【００１３】
本考案の請求項５の考案は、前記筐体とフレームとプレートの少なくとも一つの表面側に、会社ロゴマーク、或いは装飾模様又は組織名等を自由に表示している。
即ち、筐体とフレームの表面側にロゴマーク等を表示し得るし、フレームとプレートの表面側にもロゴマークや装飾模様等を表示し得る。
【００１４】
本考案の請求項６は、前記プレートの一箇所又は複数個所に切欠きや開口部を形成し、該切欠きや開口部を介して前記筐体に内装され外部に突出している押し釦スイッチを操作可能にする一方、フレーム等に設けたロゴマークや装飾模様等も視覚可能にする。
【考案の効果】
【００１５】
本考案の請求項１と２の考案による車両用電子キーシステムの携帯機（以下、携帯機と省略する。）は、筐体を構成する表ケースと裏ケースの何れか一方の表面にフレームを固定し、このフレーム表面にプレートを着脱交換可能に設けるものである。従来の車種毎に統一されている携帯機の外観を、車両使用者の好みにより、また車を所有する組織体の意向や管理上等により、携帯機の表面にフレームを固定し、該フレームの上にプレートを交換容易に設けることで簡単に外観意匠を自由に変えることができる。すなわち携帯機毎の識別や管理が容易となり、誤って他人の携帯機を選択することが無くなる。
【００１６】
本考案の請求３と４の考案によれば、フレームを金属素材又は金属光沢を有する合成樹脂素材から形成し、その表面に設けるプレートを、七宝焼・漆・竹・本歪・金属・螺鈿・革等の意匠性のある材質素材から形成することで、従来の単色、無機質で均一な携帯機の外観を意匠的に高めて高級感を付与することができる。
【００１７】
本考案の請求項５と６の考案によれば、筐体とフレームの少なくとも一方の表面側に、会社ロゴマークや組織名、或いは装飾模様等を直接表示することができるし、フレームとプレートの表面側にも会社ロゴマークや装飾模様、或いは組織名等を直接表示することができる。
フレームの表面側にロゴマークや装飾模様等を表示した場合、プレートの一箇所又は複数個所に切欠きや開口部を形成することで、会社ロゴ等を切欠きや開口部を通して視覚可能になる。
一方、筐体やフレームに会社ロゴマーク等を表示する場合は、プレートに切欠きや開口部を設けておけば、該開口部等からこれらが視覚可能になる。
即ち、筐体の表面側又はフレームの表面側に表示する装飾模様等を、車種や所有する機関等を目的に合わせて表示しても、これらをプレートに設けた開口部等から視覚し得る。
またプレートに切欠きや開口部を形成することで、携帯機の筐体から外部に突出している押し釦スイッチ等の操作も簡便にすることができる。
【図面の簡単な説明】
【００１８】
【図１】本考案携帯機の第一実施例であり、携帯機は、筐体（ｃ）と、該躯体を構成する表ケースに固定するフレーム（ｂ）と、フレームに着脱交換可能に備えるプレート（ａ）から構成されている。
【図２】第一実施例の類例携帯機であり、筐体ケース（ｃ）の表側にプレート（ｂ）とプレート（ａ）を順に備えるものである。
【図３】図１（ｃ）におけるＡ−Ａ矢視の断面図である。
【図４】本考案携帯機の第二実施例であり、その携帯機の正面図である。
【図５】本考案携帯機の第三実施例であり、その携帯機の正面図である。
【図６】（ａ〜ｄ）は装飾模様を備えたプレートの取付け前の正面図、（ｅ〜ｈ）はフレームとプレートを備えた筐体の正面図である。
【図７】従来技術に係る電子キーシステムの携帯機である。
【考案を実施するための形態】
【００１９】
以下、本考案に係る車両用電子キーシステムの携帯機（以下、携帯機と省略する。）について、好適な実施形態を掲げ、添付の図面を参照して以下詳細に説明する。
【００２０】
本考案における第一実施例の携帯機１は、従来周知の車両用電子キーシステムに用いられている携帯機と略同様であり、車両用電子キーシステムとは、車両の使用者によって携帯される携帯機１と、車両に搭載されたドライブ制御装置（図示せず）と無線通信を実施することによって車両のドアロックの施錠・開錠状態等を制御するシステムである。車両用電子キーシステムとしては、キーレスエントリーシステムや、スマートエントリーシステムなどが該当する。
【００２１】
なお、キーレスエントリーシステムは、携帯機１が使用者によって押下げられた施錠・開錠用押し釦スイッチ５に対応する無線信号を車両側に送信し、車両側のドライブ制御装置で当該無線信号に対応する処理（例えばドアの開錠／施錠）を実行するシステムである。
一方、スマートエントリーシステムは、車両側ドライブ制御装置から送信される応答要求信号に対して携帯機１が応答信号を返送することで、車両側制御装置が所定の処理を実行するシステムである。
【００２２】
本案の携帯機は、従来の携帯機１と略同様に、図１乃至図３に示す如く、筐体２と、筐体２の内部に収容される回路基板やトランスポンダ等の被収容物（図示せず）とによって構成されている。
筐体２は、両端角部が丸みを帯び上方が狭まった略直方体形状を成し、裏ケース３と表ケース４とに二分割され、上下方向から迎え合わせに組み付けることにより構成されている。裏ケース３及び表ケース４は、同形同大に形成され、それぞれが一方向に開口する箱状をなしている。
また、裏ケース３及び表ケース４の開口縁には互いに係合する係合部（図示しない）がそれぞれ設けられており、それらの係合部同士を係合することにより両者が箱状に組み付けられる。そして、裏ケース３と表ケース４とが組み付けられると、図３に示す如く筐体２の内部には空間が生じる状態となり、この内部空間に回路基板やトランスポンダ等の被収容物が収容される。また車両のドアに設けられた鍵孔に挿入することで車両のドアロックの施錠・開錠を機械的に実現できるメカニカルキー１１を筐体２の一部に着脱自在に収容できる。
【００２３】
以下、第一施例とその類例を図１乃至図３に従って説明する。
携帯機１の筐体２は、合成樹脂素材等から形成されている裏ケース３の表面側に、車両に搭載されたドライブ制御装置を無線通信で車両のドアロックの施錠・開錠状態等を制御する押し釦スイッチ５を備え、該スイッチ５のＯＮ／ＯＦＦ制御する押圧部位を裏ケース３の表面側から外部に突出した状態で設けられている。
一方、表ケース４の表面側は一般に平坦な平面に形成されている。この表ケース４の表面側の略中央位置には、携帯機１を提供する自動車メーカ等を示す会社ロゴマーク２０や装飾模様１０等が表示されている。
【００２４】
本考案の特徴は、筐体２を構成する例えば裏ケース３の表面側に図１（ｂ）に示す如く接着剤等でフレーム７を接着固定し得る。
このフレーム７は、金属又は金属調の表面性状を有する合成樹脂等から形成されており、上記押し釦スイッチ５の押圧部位を覆うことのないように開口部８ａが開けられている。さらに該フレーム７の表面側に図１（ａ）に示す如くプレート９を着脱可能に備えている。
前記プレート９は、上記押し釦スイッチ５の押圧部位を覆うことのないようにフレーム開口部８ａと同形同大の開口部８ｂを備え、しかもフレーム７に対して着脱容易に固定できるように両面接着テープで接着するか、あるいは図３の如くフレーム７とプレート９の一方側に、両者を相互に着脱容易に係合できる凸凹状の係合部１５を、他方側に前記係合部１５と係合する被係合部１６を形成している。
図１（ｃ）は、筐体２を構成する裏ケース３の表面側に上記フレーム７とプレート９を順に組立て一体となった携帯機１を示し、フレーム開口部８ａとプレート開口部８ｂとで上下方向に連通する開口部８を形成し、該開口部８に前記押し釦スイッチ５を押し下げ可能に突出している。
【００２５】
一方、図２に示す筐体２は、表ケース４の表面側に、フレーム７を図２（ｂ）の如く接着剤等で設けている。このフレーム７は、筐体２と同様に金属又は金属調の表面性状からなる合成樹脂素材等から構成されている。
フレーム７の表面側には、図２（ａ）に示す如くプレート９が着脱容易に設けられている。また筐体２を構成する表ケース４又はフレーム７の表面側には、車両を提供する会社ロゴマーク２０等が予め表示されている。
上記フレーム７に係合するプレート９には、筐体２又はフレーム７に表示した会社ロゴマーク２０等と対応する位置に、開口部８（８ａ，８ｂ）を通して会社ロゴマーク２０等を外部から視覚できるようにしてある。
プレート９は、フレーム７に対して着脱容易に接着固定できる両面接着テープで固定するか、あるいは両者が着脱容易に係合でき得るように、フレーム７とプレート９の一方側に凸凹状の係合部１５を、他方側に前記係合部１５と係合し得る被係合部１６を形成している。
携帯機１を構成する表ケース４の表面側に、図２（ｃ）の如く上記フレーム７とプレート９を順に組立てて一体化し、フレーム開口部８ａとプレート開口部８ｂを上下方向に連通し、連通状態の開口部８を形成し、該開口部８を通して会社ロゴマーク２０等の視覚を可能にする。
【００２６】
フレーム７に着脱可能に備えるプレート９は、七宝焼・漆・竹・本歪・金属・螺鈿・革等の素材から形成され、その表面に装飾模様１０が適宜施されており、第６図の如く一目で他の携帯機との相違が分かる外観意匠を施すことができる。
フレーム７は金属または金属光沢を有する合成樹脂から形成され、その表面側に上記装飾模様１０を施したプレート９と組み合わせることで、携帯機１に高級感を醸す個性的な外観意匠の効果を与えることができる。
【００２７】
本考案の第二実施例を図４及び図５に基づき説明すると、携帯機１は、周知の車両用電子キーシステムに用いられる携帯機と同様の筐体２を備えている。
この携帯機１は、裏ケース３及び／又は表ケース４の表面側に、押し釦スイッチ５等の押圧部を突出し、裏面側が平坦な表面形状をなしている。
第二実施例のフレーム７は、裏ケース３及び／又は表ケース４の表面の一部を覆うように接着剤等で固着される。更に平坦なフレーム７の表面側に、両面接着テープ等を用いてプレート９を着脱可能に備えるか、フレーム７とプレート９の一方側に凸凹状の係合部１５を、他方側に前記係合部１５と係合する被係合部１６を備え、係合部１５と被係合部１６の係合により着脱可能にする。
このプレート９は、上記第一実施例のプレート９と同様に、七宝焼・漆・竹・本歪・金属・螺鈿・革等からなる素材の表面側に装飾模様１０等を施し、一目で他の携帯機と相違が分かる外観意匠を有する。
尚、図６で示すようにプレート９の表面側には、自動車メーカの会社ロゴマーク２０や装飾模様１０等を直接表示することも可能である。
このようにプレート９の表面側にロゴマーク２０等を直接表示することで、車両使用者は自由にマーク等や好みの外観意匠の携帯機１を選択することが可となるなど、携帯機１の外観意匠を高めることができる。
あるいは図１（ｃ）に示す如く、フレーム７の表面にロゴマーク２０等を直接表示した場合、プレート９に開口部８ｂを設け、この開口部８ｂを通してフレーム７に表示されたロゴマーク２０を外部から視覚できるようにする。
【００２８】
この第三実施の携帯機によれば、携帯機１を構成する筐体２の裏ケース３及び／又は表ケース４の表面側にフレーム７を固定し、該フレーム７の表面側に着脱可能に固定されるプレート９の表面に直接会社ロゴマーク２０、装飾模様１０等を表示する。
尚、フレーム７にロゴマーク２０等を表示した場合には、そのフレーム７に印刷標記されたロゴマーク２０等を外部から視覚可能にするために、プレート９に開口部８ｂを形成する。このため、既に筐体２に表示されている各種マークや装飾に拘らず自由にフレーム７やプレート９に好みのマークを直接表示できる自由度があり、車両使用者の好みの素材と外観意匠を携帯機１に施すことができる。
【産業上の利用可能性】
【００２９】
本考案は、乗用車は勿論、乗用車以外のトラック、バス等の車両用電子キーシステムの携帯機にも用いることも可能である。また、開口部８（８ａ，８ｂ）の形状は、円形、楕円形等自由であるばかりか、切欠きであっても良い。
また、筐体２の裏ケース３に会社ロゴマーク２０や装飾模様１０等を表示することも可能であるし、筐体２の裏ケース３にフレーム７を着設し、該フレーム７にプレート９を着脱容易に係合することも可能である。
裏ケース３の表面側にフレーム７を着設する場合、筐体２から外部に突出している釦スイッチ５と対応するフレーム７位置に開口部８を備え、該開口部８から釦スイッチ５をＯＮ／ＯＦＦ操作し得るようにする。
【符号の説明】
【００３０】
１…車両用電子キーの携帯機
２…筐体
３…裏ケース
４…表ケース
５…押し釦スイッチ
７…フレーム
８…開口部、８ａ…フレーム開口部、８ｂ…プレート開口部
９…プレート
１０…装飾模様
１１…メカニカルキー
１５…凸凹係合部
１６…被係合部
２０…会社ロゴマーク
１８…表ケース
１９…裏ケース
２２…ロゴマーク
２５…施錠スイッチ
２６…開錠スイッチ
２７…メカニカルキー
【図１】
0003233970.tif 000003
【図２】
0003233970.tif 000004
【図３】
0003233970.tif 000005
【図４】
0003233970.tif 000006
【図５】
0003233970.tif 000007
【図６】
0003233970.tif 000008
【図７】
0003233970.tif 000009
【手続補正書】
【提出日】令和3年4月9日(2021.4.9)
【手続補正１】
【補正対象書類名】図面
【補正対象項目名】図６
【補正方法】変更
【補正の内容】
【図６】
0003233970.tif 000010
【手続補正書】
【提出日】令和3年6月1日(2021.6.1)
【手続補正１】
【補正対象書類名】実用新案登録請求の範囲
【補正対象項目名】全文
【補正方法】変更
【補正の内容】
【実用新案登録請求の範囲】
【請求項１】
車両に搭載されたドライブ制御装置と無線通信により少なくとも該車両のドアロックの施錠・解錠に関する制御を送信する制御基板と電源を内部に収納し、前記車両のドアロックを機械的に施錠・解錠するためのメカニカルキーを内部に着脱可能に保持できる表ケースと裏ケースからなる筐体を備えた車両用電子キーシステムの携帯機において、
前記表ケース及び／又は裏ケースの表面側にフレームを固定し、該フレームの表面側にプレートを着脱交換可能に設けたことを特徴とする車両用電子キーシステムの携帯機。
【請求項２】
前記フレームは、前記表ケース及び／又は裏ケースの表面側に接着剤により固定するか、表ケース及び／又は裏ケースの表面側に周知固定手段により固定し、前記プレートは、フレームに設けた凹部又は凸部からなる係合部と係合する被係合部を備え、該被係合部を前記係合部と係合することにより着脱交換可能に固定することを特徴とする請求項１記載の車両用電子キーシステムの携帯機。
【請求項３】
前記フレームは、金属素材又は金属光沢を有する樹脂素材からなることを特徴とする請求項1又は２記載の車両用電子キーシステムの携帯機。
【請求項４】
前記プレートは、七宝焼・漆・竹・本歪・金属・螺鈿・革の材質から形成され、前記フレームの表面側に着脱交換容易に取り付け可能な構造であることを特徴とする請求項1，２又は３記載の車両用電子キーシステムの携帯機。
【請求項５】
前記筐体とフレームとプレートの少なくとも一つの表面側に、会社ロゴマークや装飾模様が表示されていることを特徴とする請求項1，２，３又は４記載の車両用電子キーシステムの携帯機。
【請求項６】
前記プレートの一箇所又は複数個所に切欠きや開口部を形成し、該切欠きや開口部を介して前記筐体に内装され外部に突出している押し釦スイッチを操作可能にすると共に、フレームに設けた前記会社ロゴマークや装飾模様を視覚可能にしたことを特徴とする請求項５記載の車両用電子キーシステムの携帯機。